(57)【要約】  【課題】硬貨収納繰出装置19自体によって自動で精査し、複数の硬貨収納繰出装置19がある場合でも全体の精査にかかる時間を短くし、精査を厳正化する。  【解決手段】精査時に、シャッタ70を閉じて硬貨収納空間部57の下部域57aと上部域57bとを仕切る。硬貨収納空間部57の下部域57aの硬貨Ｃをベルト手段58で上方へ搬送する。ベルト手段58で上方へ搬送する硬貨Ｃを、識別部65で識別するとともに、振分手段66で硬貨収納空間部57の上部域57b側へ振り分けてシャッタ70上に貯留させる。硬貨収納空間部57の下部域の全ての硬貨Ｃをシャッタ70上に貯留した後、シャッタ70を開放して硬貨Ｃを硬貨収納空間部57の下部域57aへ戻す。  【選択図】図１
2005228084.tif 000002
【特許請求の範囲】
【請求項１】
硬貨類を収納する硬貨類収納空間部と、
この硬貨類収納空間部の底部を構成する底部ベルト域、およびこの底部ベルト域の端部から上昇する上昇ベルト域を有し、硬貨類収納空間部の下部域の硬貨類を底部ベルト域から上昇ベルト域を通じて１枚ずつ上方へ搬送するベルト手段と、
このベルト手段の上昇ベルト域で上方へ搬送する硬貨類を識別する識別部と、
前記ベルト手段の上昇ベルト域で上方へ搬送する硬貨類を硬貨類収納空間部の外部側と硬貨類収納空間部の上部域側とに振り分ける振分手段と、
前記硬貨類収納空間部の下部域と上部域とを開閉可能に仕切るシャッタと、
精査時に、前記シャッタを閉じて硬貨類収納空間部の下部域と上部域とを仕切り、ベルト手段で硬貨類収納空間部の下部域の硬貨類を上方へ搬送して識別部で識別させるとともに振分手段で硬貨類収納空間部の上部域側へ振り分けてシャッタ上に貯留させ、硬貨類収納空間部の下部域の全ての硬貨類をシャッタ上に貯留した後、シャッタを開放して硬貨類を硬貨類収納空間部の下部域へ戻させる制御部と
を具備していることを特徴とする硬貨類収納繰出装置。
【請求項２】
シャッタは、硬貨類収納空間部内で互いに開閉可能に設けられた一対のシャッタ板を有している
ことを特徴とする請求項１記載の硬貨類収納繰出装置。
【発明の詳細な説明】
【技術分野】
【０００１】
本発明は、硬貨類を収納するとともに収納している硬貨類を１枚ずつ繰り出す硬貨類収納繰出装置に関する。
【背景技術】
【０００２】
従来、例えば、硬貨や遊技用のメダルなどの硬貨類を取り扱う硬貨処理機やメダル処理機などの硬貨類処理機では、硬貨類をばら状態で一括収納するとともに収納した硬貨類を１枚ずつ外部へ繰り出すようにした硬貨収納繰出装置やメダル収納繰出装置などの硬貨類収納繰出装置を備えた構成が知られている（例えば、特許文献１参照。）。
【０００３】
例えば、硬貨収納繰出装置では、収納している硬貨の金種や枚数を確認するための精査機能を有している。この精査では、硬貨収納繰出装置から収納している硬貨を１枚ずつ外部つまり硬貨処理機内に繰り出し、この繰り出した硬貨を搬送して硬貨処理機内の計数処理部で識別計数し、識別計数後の硬貨を搬送して硬貨処理機内に配置された別の収納箱に収納し、硬貨収納繰出装置から全ての硬貨を繰り出して収納箱に移し終えたら、収納箱を硬貨処理機から取り出してこの収納箱内の硬貨を硬貨収納繰出装置に戻す作業をしている。硬貨収納繰出装置が金種別に設けている場合には、１金種ずつ順に同様に精査している。
【特許文献１】特許第２８５７４５０号公報（第２頁、第４図）
【発明の開示】
【発明が解決しようとする課題】
【０００４】
上述のように、精査時には、硬貨収納繰出装置から外部に硬貨を繰り出して識別計数した後に別の収納箱に収納し、硬貨収納繰出装置から全ての硬貨を繰り出して収納箱に移し終えたら、収納箱を硬貨処理機から取り出してこの収納箱内の硬貨を硬貨収納繰出装置に戻す作業を必要とするため、精査が自動でできず、手間がかかる問題がある。しかも、硬貨収納繰出装置を金種別に設けている場合には、１金種ずつ順に精査しなければならず、精査に時間がかかる問題がある。
【０００５】
また、硬貨収納繰出装置の外部に硬貨を繰り出すため、硬貨処理機内での搬送中に硬貨の詰まりなどが発生するおそれがあるとともに、硬貨を移した収納箱を硬貨処理機から取り出してこの収納箱内の硬貨を硬貨収納繰出装置に戻す作業を伴うので精査の厳正化が難しい問題がある。
【０００６】
本発明は、このような点に鑑みなされたもので、硬貨類収納繰出装置自体によって自動で精査でき、複数の硬貨類収納繰出装置がある場合でも全体の精査にかかる時間を短くでき、精査を厳正化できる硬貨類収納繰出装置を提供することを目的とする。
【課題を解決するための手段】
【０００７】
請求項１記載の硬貨類収納繰出装置は、硬貨類を収納する硬貨類収納空間部と、この硬貨類収納空間部の底部を構成する底部ベルト域、およびこの底部ベルト域の端部から上昇する上昇ベルト域を有し、硬貨類収納空間部の下部域の硬貨類を底部ベルト域から上昇ベルト域を通じて１枚ずつ上方へ搬送するベルト手段と、このベルト手段の上昇ベルト域で上方へ搬送する硬貨類を識別する識別部と、前記ベルト手段の上昇ベルト域で上方へ搬送する硬貨類を硬貨類収納空間部の外部側と硬貨類収納空間部の上部域側とに振り分ける振分手段と、前記硬貨類収納空間部の下部域と上部域とを開閉可能に仕切るシャッタと、精査時に、前記シャッタを閉じて硬貨類収納空間部の下部域と上部域とを仕切り、ベルト手段で硬貨類収納空間部の下部域の硬貨類を上方へ搬送して識別部で識別させるとともに振分手段で硬貨類収納空間部の上部域側へ振り分けてシャッタ上に貯留させ、硬貨類収納空間部の下部域の全ての硬貨類をシャッタ上に貯留した後、シャッタを開放して硬貨類を硬貨類収納空間部の下部域へ戻させる制御部とを具備しているものである。
【０００８】
そして、この構成では、精査時に、シャッタを閉じて硬貨類収納空間部の下部域と上部域とを仕切り、ベルト手段で硬貨類収納空間部の下部域の硬貨類を上方へ搬送して識別部で識別するとともに振分手段で硬貨類収納空間部の上部域側へ振り分けてシャッタ上に貯留し、硬貨類収納空間部の下部域の全ての硬貨類をシャッタ上に貯留した後、シャッタを開放して硬貨類を硬貨類収納空間部の下部域へ戻すため、硬貨類収納繰出装置自体によって自動で精査可能となり、複数の硬貨類収納繰出装置がある場合でも同時に精査可能で全体の精査にかかる時間が短くなり、硬貨類収納繰出装置の外部に硬貨類を出さないことで外部の搬送系路での硬貨詰まりの発生がないとともに精査が厳正化される。
【０００９】
請求項２記載の硬貨類収納繰出装置は、請求項１記載の硬貨類収納繰出装置において、シャッタは、硬貨類収納空間部内で互いに開閉可能に設けられた一対のシャッタ板を有しているものである。
【００１０】
そして、この構成では、シャッタの一対のシャッタ板を硬貨類収納空間部内で互いに開閉可能に設けたため、シャッタの構成が簡単になるとともにシャッタの開閉が迅速になる。
【発明の効果】
【００１１】
請求項１記載の硬貨類収納繰出装置によれば、精査時に、シャッタを閉じて硬貨類収納空間部の下部域と上部域とを仕切り、ベルト手段で硬貨類収納空間部の下部域の硬貨類を上方へ搬送して識別部で識別するとともに振分手段で硬貨類収納空間部の上部域側へ振り分けてシャッタ上に貯留し、硬貨類収納空間部の下部域の全ての硬貨類をシャッタ上に貯留した後、シャッタを開放して硬貨類を硬貨類収納空間部の下部域へ戻すため、硬貨類収納繰出装置自体によって自動で精査でき、複数の硬貨類収納繰出装置がある場合でも同時に精査可能で全体の精査にかかる時間が短くでき、硬貨類収納繰出装置の外部に硬貨類を出さないことで外部の搬送系路での硬貨詰まりの発生がないとともに精査を厳正化できる。
【００１２】
請求項２記載の硬貨類収納繰出装置によれば、請求項１記載の硬貨類収納繰出装置の効果に加えて、シャッタの一対のシャッタ板を硬貨類収納空間部内で互いに開閉可能に設けたため、シャッタの構成を簡単にできるとともにシャッタの開閉を迅速にできる。
【発明を実施するための最良の形態】
【００１３】
以下、本発明の一実施の形態を図面を参照して説明する。
【００１４】
図３ないし図５に硬貨類処理機を示し、この硬貨類処理機としては、硬貨類としての硬貨の入金処理および出金処理、硬貨を所定枚数重積して包装した包装硬貨である棒金類としての棒金Ａを形成する包装処理、この棒金Ａの収納処理および出金処理をする硬貨処理機11を示す。
【００１５】
この硬貨処理機11は、機体12を有し、この機体12内の左側域にばら状態の硬貨を処理する硬貨類処理装置としての硬貨処理装置13が配設され、機体12内の右側域に棒金Ａを処理する棒金類処理装置としての棒金処理装置14が配設されている。
【００１６】
硬貨処理装置13には、機体12の上部側から順に、ばら状態の硬貨を受け入れて識別する硬貨類受入処理部としての入金処理部17、この入金処理部17で識別された硬貨を一時保留する一時保留部18、およびこの一時保留部18に保留された硬貨の収納時に収納するとともに収納した硬貨を棒金処理装置14などに繰出可能とする硬貨類収納繰出装置としての硬貨収納繰出装置19がそれぞれ配設され、これらの側部で機体12の中央域に硬貨収納繰出装置19から繰り出されるばら状態の硬貨を機体12外に出金するばら硬貨出金部20が配設されている。
【００１７】
棒金処理装置14には、機体12の下部域に所定枚数重積した硬貨を包装して棒金Ａを形成する包装部23が配設され、この包装部23の上部域に棒金Ａを受け入れおよび送り出し可能に収納する複数の棒金トレイ24が配設され、さらに、機体12の上部に棒金Ａを送り出す棒金出金口25が配設されている。包装部23および棒金トレイ24と棒金出金口25との間には、棒金Ａを搬送する棒金搬送部26が配設されている。
【００１８】
また、入金処理部17には、機体12の上部から投入される硬貨を受け入れるホッパ31およびこのホッパ31の底面の供給円盤32、この供給円盤32の回転によって所定量ずつ硬貨が供給される回転円盤33、この回転円盤33の回転によって１枚ずつ繰り出される硬貨を受け入れて搬送する硬貨通路34がそれぞれ設けられている。
【００１９】
この硬貨通路34の始端側の識別通路部34aには硬貨を識別する識別部35が設けられ、硬貨通路34の識別通路部34aに続いて機体12の前後方向に形成された選別通路部34bには任意の硬貨を選別する第１の任意選別部36および第２の任意選別部37、硬貨を金種別に選別する金種別選別部38がそれぞれ設けられている。第１の任意選別部36ではリジェクト硬貨や汚損硬貨などを選別し、第２の任意選別部37では一時保留部18や硬貨収納繰出装置19に収納しきれない金種のオーバーフロー硬貨などを選別する。
【００２０】
これら第１の任意選別部36、第２の任意選別部37および各金種別選別部38の下側には、選別された硬貨を一時保留部18へ送り込むシュート39（第１の任意選別部36の下側のシュートは符号39a、第２の任意選別部37の下側のシュートは符号39bでそれぞれ示す）がそれぞれ配設されている。第１の任意選別部36の下側のシュート39aでは、リジェクト硬貨を機体12に対して自由に着脱可能としたリジェクト箱40に、汚損硬貨を一時保留部18にそれぞれ切り換えて送り込み可能としている。
【００２１】
また、図３に示すように、一時保留部18は、各シュート39によって送り込まれる硬貨をそれぞれ一時保留する保留筒43（第１の任意選別部36のシュート39aの下側の保留筒は符号43a、第２の任意選別部37のシュート39bの下側の保留筒は符号43bでそれぞれ示す）を有し、これら保留筒43の下側に保留筒43の下面を閉塞する底部44および保留筒43の下面を開口させて下方へ放出させる放出口部45を有する底部材46が配設され、これら保留筒43および底部材46はそれぞれ移動機構47，48によって機体12の左右方向に移動可能に構成されている。そして、図３に示す保留筒43がシュート39の下方の保留位置に位置するとともに底部材46の底部44が保留筒43の底面を閉塞した状態で硬貨を一時保留し、一時保留した硬貨を収納する場合には保留筒43のみが左方向の収納位置に移動して保留筒43内の硬貨を底部材46の放出口部45を通じて硬貨収納繰出装置19内へ放出し、また、一時保留した硬貨を返却する場合には、保留筒43と底部材46とが一緒に左方向に移動し、底部材46の放出口部45が硬貨収納繰出装置19の側部位置で機体12に対して自由に着脱可能とした返却箱49上に移動した位置で底部材46のみが停止し、保留筒43のみが左方向の返却位置に移動して保留筒43内の硬貨を底部材46の放出口部45を通じて返却箱49に放出可能としている。
【００２２】
また、図３および図５に示すように、硬貨収納繰出装置19は、オーバーフロー硬貨用と各金種別硬貨用とにそれぞれ設けられ、一時保留部18から送り込まれる硬貨を受け入れてばら状態で収納する硬貨収納箱55（オーバーフロー硬貨用の硬貨収納箱は符号55bで示す）を有している。
【００２３】
この硬貨収納箱55は、上面が開口した箱形で、包装部23側の一側上方である右側上方に硬貨を繰り出す繰出口56が形成されており、硬貨収納箱55の内部には、硬貨をばら状態で一括して収納する硬貨類収納空間部としての硬貨収納空間部57が形成されているとともに、収納された硬貨を包装部23側の一側上方である右側上方へ１枚ずつ搬送して繰出口56から１枚ずつ繰り出すベルト手段58が配設されている。このベルト手段58は、無端状の繰出ベルト59を有し、この繰出ベルト59が硬貨収納空間部57の底部を構成する底部ベルト域60およびこの底部ベルト域60の一側端部である右端部から上昇する上昇ベルト域61を構成するように、複数のローラ62と一対の回転板63とによって形成されている。すなわち、硬貨収納空間部57の底部域に配置された２つのローラ62と繰出口56の近傍に配置されたローラ62とにわたって繰出ベルト59が掛け渡されるとともに、硬貨収納空間部57に臨む繰出ベルト59の表面のベルト幅方向両側位置に一対の回転体63が接触し、繰出ベルト59に底部ベルト域60および上昇ベルト域61を形成している。そして、硬貨収納空間部57は、底部が繰出ベルト59の底部ベルト域60で構成され、ベルト幅方向に対応した面である前後面が硬貨収納箱55の内壁面および回転体63で構成され、一側面である右側面が繰出ベルト59の上昇ベルト域61で構成され、他側面である左側面が硬貨収納箱55の内壁面および硬貨を底部ベルト域60上に導くガイド板64で構成されている。
【００２４】
繰出ベルト59の表面には、処理する硬貨が厚み方向に１枚のみ載るベルト表面からの高さ寸法とした図示しない一対の突起が突設されているとともに、これら一対の突起がベルト長手方向に所定のピッチで突設されており、繰出ベルト59の回動により硬貨収納空間部57の底部の硬貨を一対の突起で１枚ずつ係止して上昇ベルト域61を通じて上方へ搬送するようにしている。
【００２５】
繰出ベルト59の上昇ベルト域61の上端近傍には、上昇ベルト域61で１枚ずつ上方へ搬送する硬貨を識別する識別部65が配設されている。
【００２６】
繰出ベルト59の上昇ベルト域61の上方には、この上昇ベルト域61で上方へ搬送する硬貨を硬貨収納空間部57の外部側すなわち繰出口56側と硬貨収納空間部57内の上部域側とに振り分ける振分手段66が配設されている。この振分手段66は、振分部材67およびこの振分部材67を振分方向に応じて切換移動させる例えばソレノイドなどの振分駆動部68を有し、この振分駆動部68によって振分部材67を、上昇ベルト域61で上方へ搬送する硬貨を通過させて繰出口56から繰り出させる退避位置と、上昇ベルト域61で上方へ搬送する硬貨をベルト表面から離反させて硬貨収納空間部57内に戻す戻し位置とに切換可能としている。繰出ベルト59の上昇ベルト域61に対向する位置には、振分手段66で硬貨収納空間部57内に戻される硬貨を硬貨収納空間部57の下部域に案内するガイド板69が設けられている。
【００２７】
硬貨収納繰出装置19は、硬貨収納空間部57の下部域57aと上部域57bとを開閉可能に仕切るシャッタ70を備えている。このシャッタ70は、屈曲可能とする板状に形成され、硬貨収納箱55の他側面域に沿って退避して硬貨収納空間部57の下部域57aと上部域57bと連通させた状態を開放状態とし、硬貨収納箱55の他側面域の上下方向中間部から硬貨収納空間部57内に略水平に侵入して硬貨収納空間部57の下部域57aと上部域57bとを隔離して仕切った状態を閉鎖状態とする。シャッタ70の閉鎖状態では、シャッタ70の先端側がガイド板69の位置まで移動し、硬貨収納空間部57の上部域57bに対して繰出ベルト59を隔離する。
【００２８】
また、各硬貨収納繰出装置19の繰出口56に臨む外側部には、繰出口56から１枚ずつ繰り出される硬貨を受け入れて前方または後方に搬送するコンベヤ73が前後方向に沿って設けられており、包装時にはコンベヤ73上の中央域より前側域に受け入れる硬貨をコンベヤ73の中央域へ搬送し、あるいはコンベヤ73上の中央域より後側域に受け入れる硬貨をコンベヤ73の中央域へ搬送し、コンベヤ73の中央域から送込み機構74によって硬貨を包装部23に送り込み、また、ばら硬貨出金時にはコンベヤ73上に受け入れた硬貨を前方へ搬送してばら硬貨出金部20に送り込むようにしている。また、硬貨収納繰出装置19の前側には、第１の任意選別部36で選別されて一時保留部18から送り込まれる汚損硬貨を収納する汚損硬貨収納箱75が機体12に対して着脱可能に設けられている。
【００２９】
また、ばら硬貨出金部20は、コンベヤ73の前方域で上下方向に移動する搬送箱79を有し、この搬送箱79の底部は開閉可能とするシャッタ80で閉塞されており、下降位置でコンベヤ73から前方へ搬送する硬貨を受け入れ、上昇位置で機体12に対して着脱可能とするばら硬貨出金箱81に硬貨を送り込み可能としている。
【００３０】
下降位置の搬送箱79の下方には回収シュート82が配設され、この回収シート82の下方に機体12に対して着脱可能とする回収箱83が配置されており、硬貨収納繰出装置19内の硬貨の回収時において、硬貨収納繰出装置19から繰り出される硬貨をコンベヤ73、シャッタ80が開放状態の搬送箱79、回収シュート82を通じて回収箱83に回収可能としている。
【００３１】
また、図２に硬貨収納繰出装置19のブロック図を示し、硬貨収納繰出装置19は制御部91を有し、この制御部91には、識別部65、ベルト手段58の繰出ベルト59を回動させる例えばモータなどのベルト駆動部92、振分手段66の振分駆動部68、シャッタ70を開閉移動させる例えばモータなどのシャッタ開閉駆動手段93が接続されている。
【００３２】
制御部91は、精査時に、シャッタ70を閉じて硬貨収納空間部57の下部域57aと上部域57bとを仕切り、ベルト手段58で硬貨収納空間部57の下部域57aの硬貨を上方へ搬送して識別部65で識別させるとともに振分手段66で硬貨収納空間部57の上部域57b側へ振り分けてシャッタ70上に貯留させ、硬貨収納空間部57の下部域57aの全ての硬貨をシャッタ70上に貯留した後、シャッタ70を開放して硬貨を硬貨収納空間部57の下部域57aへ戻させる機能を有している。
【００３３】
次に、本実施の形態の作用を説明する。
【００３４】
まず、図３ないし図５において、硬貨処理機11の全体の動作について説明する。
【００３５】
硬貨を入金する硬貨入金処理時には、ホッパ31に投入された入金硬貨を供給円盤32の回転により回転円盤33に供給し、回転円盤33の回転により硬貨を１枚ずつ硬貨通路34に繰り出し、硬貨通路34内に繰り出された硬貨を搬送し、識別部35で硬貨を識別する。適正な硬貨は、金種別選別部38で金種別に選別して一時保留部18の保留筒43内に収納する。汚損硬貨は、第１の任意選別部36で選別して一時保留部18の保留筒43a内に一時保留する。識別不能なリジェクト硬貨は、第１の任意選別部36で選別してリジェクト箱40に送る。一時保留部18や硬貨収納繰出装置19に収納しきない金種のオーバーフロー硬貨は、第２の任意選別部37で分岐して一時保留部18の保留筒43b内に一時保留する。
【００３６】
投入した全ての入金硬貨の選別処理が完了した後、入金承認による収納時には、一時保留部18の各保留筒43内の保留硬貨を各硬貨収納繰出装置19に収納し、また、入金不承認による返却時には、一時保留部18の保留筒43内の保留硬貨を返却箱49に送り、この返却箱49を機体12から取り出す。
【００３７】
また、硬貨をばら状態で出金するばら硬貨出金処理時には、出金データに基づいて、出金する金種の硬貨収納繰出装置19から出金に必要な枚数分の硬貨を繰り出し、コンベヤ73を通じて搬送箱79に搬送し、この搬送箱79を上昇させてばら硬貨出金箱81に投入し、このばら硬貨出金箱81を機体12から取り出す。
【００３８】
また、硬貨収納繰出装置19内のばら硬貨を棒金Ａの状態として収納する場合には、１つの金種の硬貨収納繰出装置19から硬貨を繰り出し、コンベヤ73および送込み機構74を通じて包装部23に送り込む。包装部23において所定枚数の硬貨を重積して包装することで棒金Ａを形成し、形成した棒金Ａを棒金搬送部26で搬送して棒金トレイ24に収納する。
【００３９】
次に、図１において、硬貨収納繰出装置19の動作について説明する。
【００４０】
図１(a)に示すように、通常、硬貨収納空間部57に収納されている硬貨類としての硬貨Ｃはベルト手段58の底部ベルト域60上に載って貯留されている。そして、硬貨繰出時には、ベルト手段58の繰出ベルト59を回動させ、底部ベルト域60を移動する繰出ベルト59の各一対の突起で硬貨収納空間部57の底部の硬貨Ｃを１枚ずつ係止し、上昇ベルト域61を通じて上方へ搬送する。上昇ベルト域61で上方へ搬送する硬貨Ｃを、識別部65で識別し、予め振分部材67を退避位置に移動させてある振分手段66の位置を通過させて繰出口56から外部へ繰り出す。
【００４１】
また、硬貨収納繰出装置19に収納されている硬貨Ｃの金種や枚数を確認する精査時には、図１(b)(c)に示すように、硬貨収納空間部57にシャッタ70を侵入させ、硬貨収納空間部57の硬貨Ｃが貯留された下部域57aと空間である上部域57bとを仕切る。
【００４２】
図１(c)(d)に示すように、ベルト手段58の繰出ベルト59を回動させ、底部ベルト域60を移動する繰出ベルト59の各一対の突起で硬貨収納空間部57の底部の硬貨Ｃを１枚ずつ係止し、上昇ベルト域61を通じて上方へ搬送する。上昇ベルト域61で上方へ搬送する硬貨Ｃを、識別部65で識別し、振分手段66の戻し位置に移動させた振分部材67により上昇ベルト域61で上方へ搬送する硬貨Ｃをベルト表面から離反させて硬貨収納空間部57の上部域57bに戻す。
【００４３】
図１(d)に示すように、例えば識別部65が硬貨Ｃを所定時間以上検知しなくなれば、硬貨収納空間部57の下部域57aの全ての硬貨Ｃを識別して上部域57bのシャッタ70上に貯留したと判断し、ベルト手段58の繰出ベルト59を停止させる。
【００４４】
図１(e)(f)に示すように、シャッタ70を開放してゆき、シャッタ70上に貯留していた精査済みの硬貨Ｃを硬貨収納空間部57の下部域57aに戻し、精査を完了する。
【００４５】
このように、精査時に、シャッタ70を閉じて硬貨収納空間部57の下部域57aと上部域57bとを仕切り、ベルト手段58で硬貨収納空間部57の下部域57aの硬貨Ｃを上方へ搬送して識別部65で識別するとともに振分手段66で硬貨収納空間部57の上部域57b側へ振り分けてシャッタ70上に貯留し、硬貨収納空間部57の下部域57aの全ての硬貨Ｃをシャッタ70上に貯留した後、シャッタ70を開放して硬貨Ｃを硬貨収納空間部57の下部域57aへ戻すため、硬貨収納繰出装置19自体によって自動で精査できる。
【００４６】
しかも、複数の硬貨収納繰出装置19がある場合でも、同時に精査が可能であるため、全体の精査にかかる時間が短くできる。
【００４７】
また、精査時に硬貨収納繰出装置19の外部に硬貨Ｃを出さないことで、外部の搬送系路での硬貨詰まりの発生がないとともに、精査を厳正化できる。
【００４８】
なお、シャッタ70は、図６に示すように、硬貨収納空間部57内で互いに開閉可能に設けられた一対のシャッタ板95で構成してもよい。この場合、各シャッタ板95は、ベルト手段58のベルト幅方向に対応して開閉するようにし、各シャッタ板95の外側の端部に設けた支軸96によって略水平な閉鎖位置と下方へ垂下した開放位置との間で揺動可能にとし、図示しないシャッタ開閉駆動手段によって連動して開閉する。各シャッタ板95の先端側には閉じたときに互いに噛み合うように櫛歯状に設ける。
【００４９】
このように、シャッタ70の一対のシャッタ板95を硬貨収納空間部57内で互いに開閉可能に設けたため、シャッタ70の構成を簡単にできるとともにシャッタ70の開閉を迅速にでき、精査処理の時間を短縮できる。
【００５０】
また、硬貨収納繰出装置19は、金種別に設けたが、金種混合状態で一括収納するように構成し、ばら硬貨の出金時や包装時に金種別に選別するようにしてもよい。
【００５１】
また、硬貨類収納繰出装置としては、硬貨Ｃを取り扱うに硬貨収納繰出装置19に限らず、遊技用のメダルを取り扱うメダル収納繰出装置にも適用でき、同様の作用効果が得られる。
【図面の簡単な説明】
【００５２】
【図１】本発明の一実施の形態の硬貨類収納繰出装置を示し、(a)は繰出動作を説明する説明図、(b)〜(f)は精査動作を順に説明する説明図である。
【図２】同上硬貨類収納繰出装置のブロック図である。
【図３】同上硬貨類収納繰出装置を適用した硬貨類処理機の内部構造を示す正面図である。
【図４】同上硬貨類処理機の内部構造を示す平面図である。
【図５】同上硬貨類処理機の内部構造を示す側面図である。
【図６】本発明の他の実施の形態の硬貨類収納繰出装置を示し、(a)は繰出動作を説明する説明図、(b)はシャッタの閉鎖状態の平面図、(c)はシャッタの閉鎖状態の説明図、(d)はシャッタの開放状態の説明図である。
【符号の説明】
【００５３】
19    硬貨類収納繰出装置としての硬貨収納繰出装置
57    硬貨類収納空間部としての硬貨収納空間部
57a   下部域
57b   上部域
58    ベルト手段
60    底部ベルト域
61    上昇ベルト域
65    識別部
66    振分手段
70    シャッタ
91    制御部
95    シャッタ板
Ｃ    硬貨類としての硬貨
【図１】
2005228084.tif 000003
【図２】
2005228084.tif 000004
【図３】
2005228084.tif 000005
【図４】
2005228084.tif 000006
【図５】
2005228084.tif 000007
【図６】
2005228084.tif 000008